(57)【要約】【課題】面状の異なる部材を着脱可能に接合する面ファスナーにおいて、露出する部分は常にループタイプとなり、ソフトで肌や衣類の繊維に優しい面ファスナー部材を提供する。【解決手段】面状の異なる部材を着脱可能に接合する面ファスナー部材であって、前記面ファスナー部材は、一方の主面に複数のループ体が設けられた第１のテープ体と、一方の主面に複数のループ体が設けられた第２のテープ体と、両面に複数のフック体が設けられた第３のテープ体と、を有し、前記第３のテープ体を、前記第１のテープ体および前記第２のテープ体の間に挟み込むように配置し、前記第１のテープ体の複数のループ体と前記第３のテープ体の一方の面の複数のフック体とを係合し、前記第２のテープ体の複数のループ体と前記第３のテープ体の他方の面の複数のフック体とを係合させることにより、前記面状の異なる部材を接合することを特徴とする。【選択図】図１
2016077681.tif 000002
【特許請求の範囲】
【請求項１】
面状の異なる部材を着脱可能に接合する面ファスナー部材であって、
前記面ファスナー部材は、一方の主面に複数のループ体が設けられた第１のテープ体と、
一方の主面に複数のループ体が設けられた第２のテープ体と、
両面に複数のフック体が設けられた第３のテープ体と、を有し、
前記第３のテープ体を、前記第１のテープ体および前記第２のテープ体の間に挟み込むように配置し、
前記第１のテープ体の複数のループ体と前記第３のテープ体の一方の面の複数のフック体とを係合し、
前記第２のテープ体の複数のループ体と前記第３のテープ体の他方の面の複数のフック体とを係合させることにより、前記面状の異なる部材を接合することを特徴とする面ファスナー部材。
【請求項２】
前記第１のテープ体の複数のループ体と前記第３のテープ体の複数のフック体とを係合する係合力は、前記第２のテープ体の複数のループ体と前記第３のテープ体の複数のフック体とを係合する係合力と異なることを特徴とする請求項１に記載の面ファスナー部材。
【請求項３】
前記第１のテープ体に設けられるループ体は、前記第２のテープ体に設けられるループ体よりも硬度が柔軟に形成されていることを特徴とする請求項１または２に記載の面ファスナー部材。
【請求項４】
前記第３のテープ体の一方の主面に少なくとも１つ以上の突起部が設けられ、
前記第１のテープ体の複数のループ体が設けられる面に少なくとも１つ以上の凹部或いは開口が設けられ、
前記第３のテープ体の前記突起部を、前記第１のテープ体の前記凹部或いは前記開口に嵌合或いは貫通させることにより、前記第１のテープ体に対する前記第３のテープ体の位置合わせを行うことを特徴とする請求項１から３のいずれかに記載の面ファスナー部材。
【請求項５】
前記第３のテープ体は、一方の面に複数のフック体が形成され、他方の面にマグネットが設けられた第４のテープ体と、
一方の面に複数のフック体が形成され、他方の面にマグネットが設けられた第５のテープ体と、から成り、
前記第４のテープ体のマグネットおよび前記第５のテープ体のマグネットの相互の磁力により前記第４のテープ体と前記第５のテープ体が着脱可能に接着されていることを特徴とする請求項１から４のいずれかに記載の面ファスナー部材。
【請求項６】
座面部となるシートクッションと、
前記シートクッションの背側に設けられ、背もたれ部となるシートバックと、を備えるシートであって、
前記シート表面には、シートカバーを着脱可能にする複数のループ体を有する面ファスナー部材が設けられ、
前記シートカバーには、複数のループ体を有する面ファスナー部材が設けられ、
前記シートと前記シートカバーの間に、両面に複数のフック体が設けられた面ファスナー部材を配置し、
前記シート表面のループ体と前記両面に複数のフック体が設けられた面ファスナー部材の一方の面のフック体とを係合させ、
前記両面に複数のフック体が設けられた面ファスナー部材の他方の面のフック体と前記シートカバーの複数のループ体とを係合させることにより、前記シート表面に前記シートカバーを装着することを特徴とするシート。
【請求項７】
前記シート表面のループ体と前記両面に複数のフック体が設けられた面ファスナー部材の一方の面のフック体とを係合する係合力は、前記シートカバーのループ体と前記両面に複数のフック体が設けられた面ファスナー部材の他方の面のフック体とを係合する係合力よりも弱いことを特徴とする請求項６に記載のシート。
【請求項８】
前記シート表面に設けられる面ファスナー部材のループ体は、前記シートカバーに設けられる面ファスナー部材のループ体よりも硬度が柔軟に形成されていることを特徴とする請求項６または７に記載のシート。
【請求項９】
前記両面に複数のフック体が設けられた面ファスナー部材の一方の面に少なくとも１つ以上の突起部が設けられ、
前記シート表面に設けられた面ファスナー部材のループ体を有する面に少なくとも１つ以上の凹部或いは開口が設けられ、
前記突起部を、前記凹部或いは前記開口に嵌合或いは貫通させることにより、前記シートに対する前記シートカバーの位置合わせを行うことを特徴とする請求項６から８のいずれかに記載のシート。
【請求項１０】
前記両面に複数のフック体が設けられた面ファスナー部材は、一方の面に複数のフック体が形成され、他方の面にマグネットが設けられた第１のテープ体と、
一方の面に複数のフック体が形成され、他方の面にマグネットが設けられた第２のテープ体と、から成り、
前記第１のテープ体のマグネットおよび前記第２のテープ体のマグネットの相互の磁力により前記第１のテープ体と前記第２のテープ体が着脱可能に接着されていることを特徴とする請求項６から９のいずれかに記載のシート。
【発明の詳細な説明】
【技術分野】
【０００１】
本発明は、面ファスナー部材およびそれを用いたシートに関する。
【背景技術】
【０００２】
異なる部材を面的に着脱できる面ファスナーは、例えば、衣類などの分野において、再び脱着可能な状態で結合したい場合に広く用いられている。自動車用シートなどのシートの分野においても、シートカバーをシートへ装着する方法として採用されており、この面ファスナーを用いてユーザの好みに合わせてシートカバーを自由に変えられる着せ替えシートの開発が行われている。
【０００３】
一般的な面ファスナーは、フック状に起毛された面とループ状に密集して起毛された面の２枚１組で構成されており、２つの面同士を強く押し付けることにより、鉤状のフックがループに引っ掛かり、貼り付けたり剥がしたりすることが自在にできる。この面ファスナーには、それ以外にも、１つの面にフックとループ両方が植え込まれたフック面とループ面との区別のないタイプやマッシュルーム状に起毛されていて結合力が強いクリックタイプ、鋸歯状のシャークバイト（鮫歯）タイプなどのバリエーションがある。
【０００４】
本技術分野の背景技術として、特許第５０５９７９１号公報（特許文献１）がある。特許文献１には、「複数のフック体が突出した第１表面と、第２表面と、を有する第１テープ体と、該第１テープ体の第２表面に直接粘着する第３表面と、複数の貼り合わせ構造が形成してあり、該第１表面の複数のフック体に機械的に貼り合わせることができる第４表面と、を有する第２テープ体と、を含む面ファスナーであって、該第１テープ体は透明材質製であり、少なくとも１つの印刷図案が、該第１テープ体の第２表面および第２テープ体の第３表面のいずれかに印刷され、該第１テープ体を第２テープ体に粘着した後、該第１テープ体の第１表面から該印刷図案が見えるようにし、各フック体は、該第１表面から垂直に上向きに漸縮して頚部が形成され、頚部の最上端で、両側に向けてフック部がそれぞれ延伸し、両フック部の間に凹部が形成され、該凹部は凹部底点を有し、各フック部の上縁には上縁頂点を有し、その下縁には下縁頂点を有し、該下縁頂点から該フック部下縁末端までの垂直距離は該下縁頂点から該上縁頂点までの垂直距離よりも短く、かつ該下縁頂点から該上縁頂点までの垂直距離は、該凹部底点から該上縁頂点までの垂直距離よりも短い面ファスナー」が開示されている。
【０００５】
上記面ファスナーによれば、印刷図案を両テープ体の接合面に印刷することができ、頻繁な使用のために印刷図案が破壊されにくいようにすることができる。また、貼り合わせ構造は簡単にフック体と貼り合わせることができ、かつ両者を剥がすのに比較的小さな力しか必要としない。また、フック体の一方のフック部が横向きに引っ張られたときに、他方のフック部に対し相互に支持する作用を形成し、フック体が比較的強い横向きの引っ張り力に耐えることができるとしている。
【先行技術文献】
【特許文献】
【０００６】
【特許文献１】特許第５０５９７９１号公報
【発明の概要】
【発明が解決しようとする課題】
【０００７】
ところで、上記のように自動車用シートなどのシートへ面ファスナーを用いてシートカバーを装着するようにした場合、シートの表面にも面ファスナー部材を設ける必要がある。例えば、シートカバーが汚れた場合、シートから取り外して洗うことになるが、交換のための予備のシートカバーが無い場合、一時的にシートカバーを装着しない状態で着座する場合がある。
【０００８】
この時、シートの表面に設けられた面ファスナー部材がフック側となった場合、フック側は硬いため、フックの露出により、肌に触れると異物感があったり、ニットなどのデリケートな衣類繊維に絡み付いて傷めてしまう恐れがある。
【０００９】
特許文献１には、上記のような課題に関する記載はなく、またその解決手段に結び付くような開示もなされていない。
【００１０】
そこで、本発明の目的は、面状の異なる部材を着脱可能に接合する面ファスナーにおいて、露出する部分は常にループタイプとなり、ソフトで肌や衣類の繊維に優しい面ファスナー部材を提供することにある。
【００１１】
また、本発明の別の目的は、面ファスナーによりシートカバーを装着するタイプのシートにおいて、シートカバーを取り外した場合であっても、ソフトで座り心地が良く、肌や衣類の繊維へのダメージの少ないシートを提供することにある。
【課題を解決するための手段】
【００１２】
本発明は、面状の異なる部材を着脱可能に接合する面ファスナー部材であって、前記面ファスナー部材は、一方の主面に複数のループ体が設けられた第１のテープ体と、一方の主面に複数のループ体が設けられた第２のテープ体と、両面に複数のフック体が設けられた第３のテープ体と、を有し、前記第３のテープ体を、前記第１のテープ体および前記第２のテープ体の間に挟み込むように配置し、前記第１のテープ体の複数のループ体と前記第３のテープ体の一方の面の複数のフック体とを係合し、前記第２のテープ体の複数のループ体と前記第３のテープ体の他方の面の複数のフック体とを係合させることにより、前記面状の異なる部材を接合することを特徴とする。
【００１３】
また、本発明は、座面部となるシートクッションと、前記シートクッションの背側に設けられ、背もたれ部となるシートバックと、を備えるシートであって、前記シート表面には、シートカバーを着脱可能にする複数のループ体を有する面ファスナー部材が設けられ、前記シートカバーには、複数のループ体を有する面ファスナー部材が設けられ、前記シートと前記シートカバーの間に、両面に複数のフック体が設けられた面ファスナー部材を配置し、前記シート表面のループ体と前記両面に複数のフック体が設けられた面ファスナー部材の一方の面のフック体とを係合させ、前記両面に複数のフック体が設けられた面ファスナー部材の他方の面のフック体と前記シートカバーの複数のループ体とを係合させることにより、前記シート表面に前記シートカバーを装着することを特徴とする。
【発明の効果】
【００１４】
本発明によれば、面状の異なる部材を着脱可能に接合する面ファスナーにおいて、露出する部分は常にループタイプとなり、ソフトで肌や衣類の繊維に優しい面ファスナー部材を実現できる。
【００１５】
また、本発明によれば、面ファスナーによりシートカバーを装着するタイプのシートにおいて、シートカバーを取り外した場合であっても、ソフトで座り心地が良く、肌や衣類の繊維へのダメージの少ないシートを実現できる。さらに、上モノカバーもループタイプであり、洗濯時に繊維屑が絡まない、他の衣類を傷めない等の効果を有する。
【００１６】
上記した以外の課題、構成及び効果は、以下の実施形態の説明により明らかにされる。
【図面の簡単な説明】
【００１７】
【図１】本発明の一実施形態に係る面ファスナーの概要を示す断面図である。
【図２Ａ】本発明の一実施形態に係るシートの概要を示す図である。
【図２Ｂ】本発明の一実施形態に係るシートのシートカバーを示す図である。
【図３】本発明の一実施形態に係る面ファスナーの概要を示す断面図である。
【図４】本発明の一実施形態に係る面ファスナーの概要を示す断面図である。
【発明を実施するための形態】
【００１８】
以下、図面を用いて本発明の実施例を説明する。なお、全体を通して、各図における同一の各構成部分には同一の符号を付して説明を省略することがある。
【実施例１】
【００１９】
図１に本発明の一実施例である３部材からなる面ファスナーの断面構造を示す。実施例１における面ファスナー部材は、自動車用シートなどのシートのベースシート表皮１の表面に設けられた面ファスナーのループＡ３、シートカバーなどの交換シート表皮２の表面に設けられた面ファスナーのループＢ４、面ファスナーのループＡ３と面ファスナーのループＢ４との間に挟み込むように配置された面ファスナーの両面フック５の３つの主要部材から構成されている。
【００２０】
面ファスナーのループＡ３および面ファスナーのループＢ４は、テープ状の基材の一方の表面に複数のループ状のループ体が設けられている。また、面ファスナーの両面フック５は、テープ状の基材の両面に複数の鉤状のフック体が設けられている。面ファスナーの両面フック５の基材の両面に設けられるフック体の形状は、図１では略Ｕ字型のフック体の例を示しているが、上記で述べたように、マッシュルーム状のクリックタイプや鋸歯状のシャークバイト（鮫歯）タイプなど他の形状のフック体であってもよい。
【００２１】
交換シート表皮２と面ファスナーのループＢ４の間には、例えば、繊維ワディングやネット状の素材を用いたクッション材７が配置されている。このクッション材７は、交換シート表皮２をベースシート表皮１に装着した際に、シートのクッション性を高めると共に、ベースシート表皮１と交換シート表皮２の間に配置した面ファスナー部材の影響を和らげる効果も得られる。
【００２２】
図1の面ファスナー部材を用いてシートの表面にシートカバーを装着する方法について説明する。
【００２３】
まず、シートの表面に設けられた面ファスナーのループＡ３に、面ファスナーの両面フック５を押し付けることにより、面ファスナーの両面フック５の一方の面に設けられた複数のフックと面ファスナーのループＡ３の複数のループが係合し、面ファスナーのループＡ３に面ファスナーの両面フック５が接着される。
【００２４】
次に、交換シート表皮２に設けられた面ファスナーのループＢ４を、面ファスナーの両面フック５に押し付けることにより、面ファスナーの両面フック５の他方の面に設けられた複数のフックと面ファスナーのループＢ４の複数のループが係合され、面ファスナーの両面フック５に面ファスナーのループＢ４が接着される。
【００２５】
以上のように、ベースシート表皮１の表面に設けられたループ状の面ファスナー部材と交換シート表皮２の表面に設けられたループ状の面ファスナー部材との間に、両面がフックとなった中間部材、すなわち面ファスナーの両面フック５を挟み込み、ベースシート表皮１側のループと交換シート表皮２側のループの各々と、面ファスナーの両面フック５の両面に設けられたフックを係合することで、シート表面にシートカバーを装着することができる。
【００２６】
なお、上記の装着方法においては、まず、ベースシート表皮１側のループと面ファスナーの両面フック５の一方の面のフックを係合し、その後、面ファスナーの両面フック５の他方の面のフックと交換シート表皮２側のループを係合させて、シートカバーを装着する例を説明したが、先に、シートカバーすなわち交換シート表皮２側のループと面ファスナーの両面フック５の一方の面のフックを係合し、その後、
面ファスナーの両面フック５の他方の面のフックとベースシート表皮１側のループを係合させてもよい。
【００２７】
ここで、面ファスナーのループＡ３と面ファスナーの両面フック５との係合力、面ファスナーのループＢ４と面ファスナーの両面フック５との係合力の各々の係合力に差が出るように、各面ファスナー部材を形成してもよい。例えば、面ファスナーのループＡ３と面ファスナーの両面フック５との係合力を、面ファスナーのループＢ４と面ファスナーの両面フック５との係合力よりも弱くなるように面ファスナーのループＡ３および面ファスナーのループＢ４を形成することにより、上記の３部材からなる面ファスナー部材により接合されたベースシート表皮１と交換シート表皮２を引き剥がす際、面ファスナーの中間部材である面ファスナーの両面フック５を、常にベースシート表皮１側の面ファスナーのループＢ４に係合させたままの状態でベースシート表皮１と交換シート表皮２を引き剥がすことができる。
【００２８】
これにより、ベースシート表皮１上には常に面ファスナーのループＡ３が露出する状態となり、クリーニングするために、シートからシートカバーを一時的に取り外した状態でも、ソフトであり乗員の肌や衣類の繊維に優しいシートを提供することができる。
【００２９】
また、面ファスナーのループＡ３の硬度を、面ファスナーのループＢ４の硬度よりも柔軟に形成してもよい。
【００３０】
面ファスナーのループＡ３の硬度を面ファスナーのループＢ４の硬度よりも柔軟に形成することにより、シートからシートカバーを一時的に外した状態で着座する際に、よりソフト感を向上できる。また、面ファスナーのループＡ３と面ファスナーのループＢ４の硬度に差を設けることにより、上記のように、シートからシートカバーを取り外す際、面ファスナーの中間部材である面ファスナーの両面フック５が、常にシートカバーに付いた状態で、シートカバーを取り外すことができる。
【００３１】
なお、本実施例における面ファスナーの中間部材すなわち面ファスナーの両面フック５は、テープ状の基材の両面にフック形状の突起を一体成形により形成しているが、一般的な面ファスナー部材すなわち２部材からなる面ファスナー部材のフック側を縫製或いは接着材による貼り合せにより、両面にフックを有する面ファスナーの中間部材を形成することもできる。
【００３２】
以上説明したように、本実施例の３部材からなる面ファスナー部材によれば、
露出する部分は常にループタイプとなり、ソフトで肌や衣類の繊維に優しい面ファスナー部材を提供することができる。
【００３３】
また、この３部材からなる面ファスナー部材によりシートカバーを装着するタイプのシートにおいて、シートカバーを取り外した場合であっても、ソフトで座り心地が良く、肌や衣類の繊維へのダメージの少ないシートを提供することができる。
【００３４】
なお、ベースシート表皮１への面ファスナーのループＡ３の取り付けは、面ファスナーのループＡ３の基材となるテープ体をベースシート表皮１へ縫製或いは接着材による接着により固定することができるが、図１に示すように、ベースシート表皮１の表面に溝６を設け、溝６の凹部内に面ファスナーのループＡ３を設けることにより、シートカバーを外した状態において、面ファスナーのループＡ３の乗員の肌や衣類の繊維への影響をさらに和らげることができる。
【実施例２】
【００３５】
図２Ａおよび図２Ｂを用いて、実施例１で説明した３部材からなる面ファスナー部材を自動車シートに採用した場合の例を説明する。
【００３６】
図２Ａは、実施例１で説明した面ファスナーのループＡ３と同じ面ファスナーのループＡ１０をベースシート８の表面に設けた状態を示している。また、図２Ｂは、シートカバー１３を示しており、図示していないが、シートカバー１３の裏面側には、面ファスナーのループＡ１０に対応する部分に、面ファスナーのループＢ４が設けられている。
【００３７】
図２Ａに示すように、面ファスナーのループＡ１０はシートクッション１２の表面に帯状に設けられている。シートバック１１の表面にも同様に、帯状の面ファスナーのループＡ１０が設けられている。図２Ａに示すベースシート８に図２Ｂのシートカバー１３を装着する際、実施例１で説明した面ファスナーの中間部材である面ファスナーの両面フック５をシートとシートカバー１３の間に介在させ、実施例１で説明した方法で３部材からなる面ファスナーを接合する。
【００３８】
なお、図２Ａに示すように、ベースシート８にスライドファスナー９を設け、シートカバー１３をベースシート８に装着する際、図示しないシートカバー１３周辺のコンシールファスナーと接合させることができる。
【００３９】
以上により、ベースシート８からシートカバー１３を取り外す際、面ファスナーの中間部材である面ファスナーの両面フック５が常にシートカバー１３に付着した状態でシートカバー１３を取り外すことができるため、シートカバーを取り外した場合であっても、ソフトで座り心地が良く、肌や衣類の繊維へのダメージの少ないシートを提供することができる。
【００４０】
なお、本実施例においては、シートバック１１およびシートクッション１２の両方に本発明の面ファスナー部材を用いる例を説明したが、必要に応じて、シートバック１１或いはシートクッション１２のいずれか一方に採用してもよい。
【実施例３】
【００４１】
図３を用いて、本発明の３部材からなる面ファスナーの別の実施例を説明する。
【００４２】
本実施例における面ファスナーは、２つの異なる表皮１５の各々の表面に複数の面ファスナーのループ１４が設けられている。これらの２つの異なる部材間に面ファスナーの中間部材である面ファスナーの両面フック５を挟み込むように配置し、各々の表皮に設けられた複数のループと面ファスナーの両面フック５の両面に設けられた複数のフックを係合させることにより、２つの異なる表皮１５を貼り合せる構成は、実施例１の３部材からなる面ファスナーと同様である。
【００４３】
本実施例における面ファスナー部材は、面ファスナーのループ１４が設けられる一方の表皮１５、例えば、実施例１のベースシート表皮１とその表面に設けられる面ファスナーのループＡ３に開口（穴）１７が設けられている点において、実施例１の面ファスナー部材とは異なっている。
【００４４】
また、面ファスナーの中間部材である面ファスナーの両面フック５の一方の表面には、図３示すようにロケートピン（位置決めピン）１６となる突起部が設けられている点においても、実施例１の面ファスナー部材とは異なる。
【００４５】
図３ように、一方の表皮部材に設けられた面ファスナー部材に開口（穴）１７を設け、面ファスナーの両面フック５と面ファスナーのループ１４とを係合する際、面ファスナーの両面フック５に設けられたロケートピン（位置決めピン）１６を、一方の表皮部材の面ファスナー部材の開口（穴）１７に貫通させることにより、面ファスナーのループ１４と面ファスナーの両面フック５との位置合わせを行うことができる。
【００４６】
これにより、例えば、先に面ファスナーの両面フック５に交換シート表皮２を係合させ、その後、ベースシート表皮１に位置合わせをしながら係合させることができる。つまり、面ファスナーの両面フック５を取り付けたシートカバーを、位置合わせをしながら、シート本体に装着することが可能となる
ここで、面ファスナーのループ１４が設けられる一方の表皮１５の開口（穴）１７は、開口（穴）に替えて、凹部を形成してもよい。この凹部と面ファスナーの両面フック５に設けられたロケートピン（位置決めピン）１６を嵌合することにより、同様に、位置合わせが可能である。
【実施例４】
【００４７】
図４に、本発明の３部材からなる面ファスナー部材における中間部材、すなわち面ファスナーの両面フック５の変形例を示す。
【００４８】
本実施例における面ファスナーの両面フック５は、基材となるテープ体の一方の表面に面ファスナーのフック１８が設けられ、他方の面にマグネット１９が設けられた面ファスナー部材が２つ１組で構成されている。図４に示すように、２つの面ファスナー部材のマグネット１９同士を磁力により接着させることで、面ファスナーの両面フック５を構成している。
【００４９】
本実施例のような面ファスナーの両面フック５の構成とすることにより、例えば、頻繁にシートカバーを取り外す必要がある場合、容易に面ファスナーの両面フック５を取り外すことが可能となる。
【００５０】
なお、実施例２においては、本発明を一般的な自動車用シートに用いた例を説明したが、本発明はこれに限られるものではなく、ワンボックスタイプの軽乗用車などに用いられている２つ以上のシートを連結した連結シートタイプの自動車用シート、電車の車両シートのように車体側面に沿って横一列に座席を並べたロングシート、家庭用のイスや座椅子などにも広く用いることができる。
【００５１】
また、本発明は上記した各実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５２】
１…ベースシート表皮、２…交換シート表皮、３，１０…面ファスナーのループＡ、４…面ファスナーのループＢ、５…面ファスナーの両面フック、６…溝、７…クッション材、８…ベースシート、９…スライドファスナー、１１…シートバック、１２…シートクッション、１３…シートカバー、１４…面ファスナーのループ、１５…表皮、１６…ロケートピン（位置決めピン）、１７…開口（穴）、１８…面ファスナーのフック、１９…マグネット（磁石）。
【図１】
2016077681.tif 000003
【図２Ａ】
2016077681.tif 000004
【図２Ｂ】
2016077681.tif 000005
【図３】
2016077681.tif 000006
【図４】
2016077681.tif 000007